(57)【特許請求の範囲】
【請求項１】
シリンダブロック側に配置されて基部をなす底壁部と、
前記底壁部の周囲から立ち上げて形成され、その内側に、吸気用カムシャフトと、排気用カムシャフトと、吸気バルブの駆動を可変可能な可変動弁装置とが配置されるスペースを区画する外周壁部と、
燃焼室内に燃料を噴射するインジェクタを保持するとともに、前記外周壁部内を、前記吸気用カムシャフトが配置される吸気側と前記排気用カムシャフトが配置される排気側とに区画すべく延び、両端が前記外周壁部に連結されて一体に形成される縦壁部と、
前記吸気側に配置されて前記吸気用カムシャフトを支持する吸気用カムシャフト支持部が形成され、一端が前記縦壁部に連結されて一体に形成されるとともに他端が前記外周壁部において前記縦壁部と対向する部位に連結されて一体に形成される第１の吸気側横壁部と、
前記吸気側に配置されて前記可変動弁装置を支持する支持部が形成され、一端が前記縦壁部に連結されて一体に形成されるとともに他端が前記外周壁部において前記縦壁部に対向する部位に連結されて一体に形成される第２の吸気側横壁部と、
前記排気側に配置されて前記排気用カムシャフトを支持する排気用カムシャフト支持部が形成され、一端が前記縦壁部に連結されて一体に形成されるとともに他端が前記外周壁部において前記縦壁部と対向する部位に連結されて一体に形成される排気側横壁部と、
を具備し、
前記第２の吸気側横壁部は、前記第１の吸気側横壁部と互いに交互に配置されるとともに、前記底壁部からの高さ方向に沿って前記第１の吸気側横壁部よりも低く、
前記排気側横壁部は、前記第１の吸気側横壁部間に配置されるとともに、前記高さ方向に沿って前記第２の吸気側横壁部よりも高く、
前記底壁部の排気側部分の上端面は、当該底壁部の吸気側部分の上端面よりも前記高さ方向に高い
ことを特徴とするシリンダヘッド。
【請求項２】
前記第１の吸気側横壁部と前記第２の吸気側横壁部とは、等間隔離間して交互に配置され、
前記排気側横壁部は、等間隔離間して配置される
ことを特徴とする請求項１に記載のシリンダヘッド。
【請求項３】
前記第２の吸気側横壁部と前記排気側横壁部とは、直線状に並ぶことを特徴とする請求項１に記載のシリンダヘッド。
【発明の詳細な説明】
【技術分野】
【０００１】
本発明は、吸気側に可変動弁装置が設置されるエンジンのシリンダヘッドに関する。
【背景技術】
【０００２】
エンジンのシリンダヘッドは、燃焼室内での爆発に耐えられるように、当該シリンダヘッドの剛性を向上するための補強構造が提案されている。
【０００３】
この種の補強構造では、燃焼室毎に設置されたインジェクタを保持するためのインジェクタ保持用ボスが、シリンダヘッドの前後方向（燃焼室が並ぶ方向）に互いに連結されるとともに、両端のインジェクタ保持用ボスがシリンダヘッドの外周壁部に連結されることによって、各ボスと外周壁部が一体に連結された補強壁部を形成している。
【０００４】
さらに、吸気側では、当該吸気側に配置される吸気用カムシャフト及びそのジャーナルを支持する吸気用カムシャフト支持部が、吸排気方向（シリンダヘッドの前後方向と直交する方向）に延びるとともに当該補強壁部と外周壁部とに連結されることによって、補強壁部を形成している。同様に、排気側においても、排気用カムシャフト支持部が、インジェクタ保持用ボス部がなす補強壁部と外周壁部とに連結されることによって、補強壁部を形成している。
【０００５】
このことによって、シリンダヘッドでは、互いに交差する補強壁部によって、剛性が向上するとともに、吸・排気側での剛性のバランスも保たれるようになる（例えば、特許文献１参照。）。
【特許文献１】特開平５−８６８１３号公報
【発明の開示】
【発明が解決しようとする課題】
【０００６】
一方、エンジンには、車両の運転状態に応じて吸気弁の動作を調整する可変動弁装置を備えるものがある。
【０００７】
可変動弁装置を設置するために、シリンダヘッドの吸気側には可変動弁装置を搭載するためのボス部などが形成される。ところが、吸気側にボス部が形成されると、当該ボス部が補強の役割を果たすことによって、吸気側の剛性が排気側の剛性よりも向上する。この結果、吸気側の剛性と排気側の剛性が異なるようになり、それゆえ、剛性のバランスが悪くなる。
【０００８】
シリンダヘッドにおいて、吸気側と排気側との剛性のバランスが悪くなることは、好ましくない。
【０００９】
したがって、本発明の目的は、吸気側と排気側との剛性を、バランスを保って向上できるシリンダヘッドを提供することである。
【課題を解決するための手段】
【００１０】
本発明のシリンダヘッドは、底壁部と、外周壁部と、縦壁部と、第１の吸気側横壁部と、第２の吸気側横壁部と、排気側横壁部とを備える。前記底壁部は、シリンダブロック側に配置されて基部をなす。前記外周壁部は、前記底壁部の周囲から立ち上げて形成され、その内側に、吸気用カムシャフトと、排気用カムシャフトと、吸気バルブの駆動を可変可能な可変動弁装置とが配置されるスペースを区画する。前記縦壁部は、燃焼室内に燃料を噴射するインジェクタを保持するとともに、前記外周壁部内を、前記吸気用カムシャフトが配置される吸気側と前記排気用カムシャフトが配置される排気側とに区画すべく延び、両端が前記外周壁部に連結されて一体に形成される。前記第１の吸気側横壁部は、前記吸気側に配置されて前記吸気用カムシャフトを支持する吸気用カムシャフト支持部が形成され、一端が前記縦壁部に連結されて一体に形成されるとともに他端が前記外周壁部において前記縦壁部と対向する部位に連結されて一体に形成される。前記第２の吸気側横壁部は、前記吸気側に配置されて前記可変動弁装置を支持する支持部が形成され、一端が前記縦壁部に連結されて一体に形成されるとともに他端が前記外周壁部において前記縦壁部に対向する部位に連結されて一体に形成される。前記排気側横壁部は、前記排気側に配置されて前記排気用カムシャフトを支持する排気用カムシャフト支持部が形成され、一端が前記縦壁部に連結されて一体に形成されるとともに他端が前記外周壁部において前記縦壁部と対向する部位に連結されて一体に形成される。前記第２の吸気側横壁部は、前記第１の吸気側横壁部と互いに交互に配置されるとともに、前記底壁部からの高さ方向に沿って前記第１の吸気側横壁部よりも低い。前記排気側横壁部は、前記第１の吸気側横壁部間に配置されるとともに、前記高さ方向に沿って前記第２の吸気側横壁部よりも高い。前記底壁部の排気側部分の上端面は、当該底壁部の吸気側部分の上端面よりも前記高さ方向に高い。
【００１１】
この構造によれば、シリンダヘッドの吸気側では、シリンダヘッドの低い位置の剛性は、底壁部の吸気側部分によって確保される。中間の位置の剛性は、第２の吸気側横壁部によって確保される。高い位置の剛性は、第１の吸気側横壁部によって確保される。排気側では、底壁部の排気側部分が吸気側部分よりも高いので、当該排気側部分によって低い位置および中間の位置の剛性が確保される。そして、高い位置の剛性は、排気側横壁部によって確保される。なお、排気側横壁部は、第２の吸気側横壁部よりも高いが、好ましくは、第１の吸気側横壁部と同じ高さ、または略同じ高さであるほうがよい。このことによって、排気側の高い位置の剛性が十分に確保される。ここでいう略同じ高さとは、第１の吸気側横壁部よりも若干低い場合もしくは若干高い場合などである。
【００１２】
本発明の好ましい形態では、前記第１の吸気側横壁部と前記第２の吸気側横壁部とは、等間隔離間して交互に配置される。前記排気側横壁部は、等間隔離間して配置される。
【００１３】
この構造によれば、シリンダヘッドの吸・排気側での剛性のバランスがより一層保たれる。
【００１４】
本発明の好ましい形態では、前記第２の吸気側横壁部と前記排気側横壁部とは、直線状に並ぶ。
【００１５】
この構造によれば、第２の吸気側横壁部と排気側横壁部とによって、縦壁部を横切る直線状の補強壁が形成されるので、シリンダヘッドの剛性が、より一層向上する。
【発明の効果】
【００１６】
本発明によれば、吸気側と排気側との剛性を、バランスを保って向上できるシリンダヘッドを提供できる。
【発明を実施するための最良の形態】
【００１７】
本発明の一実施形態に係るシリンダヘッドを、図１〜６を用いて説明する。図１は、本実施形態のシリンダヘッド３０を備えるエンジン１０を概略的に示す斜視図である。
【００１８】
図１に示すように、エンジン１０は、例えば直列４気筒のディーゼルエンジンである。エンジン１０は、シリンダブロック２０と、シリンダヘッド３０とを備えている。
【００１９】
図５は、シリンダブロック２０の内部を概略的に示す断面図である。図５に示すように、シリンダブロック２０内には、シリンダ２２が形成されている。シリンダ２２内には、ピストン２３が収容されている。各ピストン２３にはそれぞれ図示しないコンロッドが連結されており、これらコンロッドは、図示しないクランクシャフトに連結されている。
【００２０】
各ピストン２３と後述されるシリンダヘッド３０との間に燃焼室２４が形成されている。燃焼室２４内での爆発のエネルギによって、ピストン２３が運動し、当該運動がコンロッドによってクランクシャフトに伝達される。この結果、クランクシャフトが回転する。
【００２１】
図１に示すように、シリンダヘッド３０は、シリンダブロック２０においてシリンダ２２が開口するデッキ面２１上に配置されている。シリンダブロック２０とシリンダヘッド３０との間には、図示しないガスケットなどのシール部材が介装されている。
【００２２】
シリンダヘッド３０は、図中右端に示されるヘッドボルト９０によって、シリンダブロック２０に固定されている。シリンダブロック２０とシリンダヘッド３０との、ヘッドボルト９０を用いた固定構造については、後で詳細に説明する。
【００２３】
図２は、図１中に示されるＦ２−Ｆ２線に沿って示すエンジンの断面図である。図２は、クランクシャフトを横切る方向にエンジン１０を断面している。なお、図２中、シリンダブロック２０は、外形のみ２点鎖線で示している。また、後述される吸・排気用カムシャフト３９，４０とロッカアーム機構５０とは、省略されている。
【００２４】
図１，２に示すように、シリンダヘッド３０は、シリンダブロック２０と反対側端が開口する形状である。シリンダヘッド３０の開口には、例えば図示しないヘッドカバーが設置される。図１，２に示すように、シリンダヘッド３０は、底壁部３１と、外周壁部３２と、縦壁部３３とを有している。
【００２５】
図２に示すように、底壁部３１は、シリンダヘッド３０においてシリンダブロック２０のデッキ面２１に側に配置されており、シリンダヘッド３０の基部をなしている。底壁部３１の高さについては、後で詳細に説明する。
【００２６】
図１に示すように、各燃焼室が並ぶ方向つまりクランクシャフトが延びる方向を、エンジン１０の前後方向Ａとし、各燃焼室が並ぶ方向を横切る方向を、幅方向Ｂとする。シリンダブロック２０とシリンダヘッド３０とが並ぶ方向（シリンダブロック２０と底壁部３１とが並ぶ方向）を上下方向Ｃとし、シリンダブロック２０に対してシリンダヘッド３０側を上側とする。なお、本実施形態では、上下方向Ｃは、底壁部３１からの高さ方向と平行である。それゆえ、上下方向Ｃは、本発明で言う高さ方向である。
【００２７】
外周壁部３２は、底壁部３１の周縁部から例えば略上下方向に立ち上がっており、周方向に連続している。外周壁部３２は、シリンダヘッド３０の内と外とを区画しており、前後方向Ａに略沿う外縦壁部３５と、幅方向Ｂに略沿う外横壁部３６とを有している。外周壁部３２の上端面３２ａは、全域にわたって、略一定の高さである。外縦壁部３５は、本発明で言う縦壁部に対向する部位の一例である。
【００２８】
縦壁部３３は、シリンダヘッド３０の幅方向略中央に配置されるとともに、前後方向Ａに沿って延びている。また、縦壁部３３は、底壁部３１と一体に形成され上下方向に立ち上がるとともに、前後方向Ａの両端が外横壁部３６に一体に形成されている。
【００２９】
図１に示すように、底壁部３１には、燃焼室に燃料を噴射するインジェクタ３７（図５に示す）を保持するインジェクタ保持用ボス部３８が複数形成されている。インジェクタ保持用ボス部３８は、燃焼室毎に形成されている。縦壁部３３は、これらインジェクタ保持用ボス部３８を互いにつなげることによって、形成されている。底壁部３１と外周壁部３２と縦壁部３３とは、一体に形成されている。
【００３０】
シリンダヘッド３０には、吸気バルブ３４（図５に一部示す）と、排気バルブと、クランクシャフトの回転が伝達されて駆動する吸気用カムシャフト３９および排気用カムシャフト４０と、ロッカアーム機構５０（図４に一部示す）となどが組み付けられる。なお、これら、吸気バルブ３４と、排気バルブと、吸・排気用カムシャフト３９，４０と、ロッカアーム機構５０と、上記されたインジェクタ３７とは、シリンダヘッド３０に組み付けられる部品の一例である。
【００３１】
燃焼室２４に連通する吸気ポートには、吸気バルブ３４が設けられている。燃焼室２４に連通する排気ポートには、排気バルブ（図示せず）が設けられている。
【００３２】
図１に示すように、吸気用カムシャフト３９と排気用カムシャフト４０とは、クランクシャフトの回転が伝達されて、吸気バルブ３４と排気バルブとを駆動すべく回転する。吸気用カムシャフト３９は、縦壁部３３を挟んで吸気側Ｉ（図中右側）に配置されており、ロッカアーム機構５０を駆動する。排気用カムシャフト４０は、排気側Ｅ（図中左側）に配置されており、排気バルブを駆動する。なお、図１中、吸・排気用カムシャフト３９，４０とは、その概略が図示されている。
【００３３】
シリンダヘッド３０には、吸・排気用カムシャフト３９，４０とロッカアーム機構５０とを支持するための支持構造が設けられている。支持構造について、具体的に説明する。
【００３４】
まず、排気用カムシャフト４０を支持する構造を説明する。シリンダヘッド３０の排気側Ｅには、排気用カムシャフト４０を支持する複数の排気側横壁部４１が形成されている。排気側横壁部４１は、縦壁部３３と排気側に配置される外縦壁部３５（図中左側に配置される外縦壁部３５）とに渡って形成されており、幅方向Ｂに延びている。排気側横壁部４１は、インジェクタ保持用ボス部３８と隣り合う位置に配置されており、一端が縦壁部３３に一体に形成され、他端が外縦壁部３５に一体に形成されている。
【００３５】
図２に示す断面図では、排気側横壁部４１は、断面されておらず、正面から見た状態が示されている。また、図３は、図１中に示されるＦ３−Ｆ３線で切断されたエンジン１０を示す斜視図である。なお、図中、シリンダブロック２０は、２点鎖線で外形のみ図示されている。また、吸・排気用カムシャフト３９，４０とロッカアーム機構５０とは省略されている。
【００３６】
図２，３に示すように、排気側横壁部４１の両端部近傍は、底壁部３１に一体に形成されている。排気側横壁部４１において、両端部以外の部位と底壁部３１の上端面との間には、隙間が形成されている。また、排気側横壁部４１の上端面４１ａは、外周壁部３２の上端面３２ａと同じ高さである。図１に示すように、排気側横壁部４１は、等間隔離間して配置されている。
【００３７】
排気側横壁部４１には、排気用カムシャフト４０のジャーナル４０ａを支持する排気用カムシャフト支持部４２が形成されている。排気用カムシャフト支持部４２は、断面が半円状に切り欠かれる凹部状であって、内側に排気用カムシャフト４０のジャーナル４０ａを収容している。なお、図１中、排気用カムシャフト４０のジャーナル４０ａは、２点鎖線で示される部位である。
【００３８】
排気用カムシャフト４０は、ジャーナル４０ａが排気用カムシャフト支持部４２に支持されることによって、シリンダヘッド３０に支持される。排気側横壁部４１は、前後方向に複数（本実施形態では、４個）形成されており、それぞれが、排気用カムシャフト４０のジャーナル４０ａを１つずつ支持する。また、外横壁部３６にも排気用カムシャフト支持部４２が形成されており、排気用カムシャフト４０の端部が支持されている。
【００３９】
つぎに、吸気用カムシャフト３９とロッカアーム機構５０との支持構造を説明する。図１に示すように、シリンダヘッド３０の吸気側Ｉには、幅方向Ｂに沿って直線状に延びる第１の吸気側横壁部４３と、第２の吸気側横壁部７０とが形成されている。
【００４０】
図３は、第１の吸気側横壁部４３を切断しない斜視図である。図３に示すように、第１の吸気側横壁部４３は、縦壁部３３と吸気側に配置される外縦壁部３５（図中右側に配置される外縦壁部３５）とに渡って形成されており、幅方向Ｂに直線状に延びている。
【００４１】
第１の吸気側横壁部４３は、複数形成されており、前後方向Ａに隣り合うインジェクタ保持用ボス部３８間の中間の位置に１つずつ配置されている。それゆえ、図１に示すように、第１の吸気側横壁部４３は、等間隔離間して配置される。本実施形態では、第１の吸気側横壁部４３は、４つ形成されている。
【００４２】
図２，３に示すように、第１の吸気側横壁部４３の一端は、縦壁部３３に連結されて一体に形成されており、他端は、外縦壁部３５に連結されて一体に形成されている。また、第１の吸気側横壁部４３の上端面４３ａは、外周壁部３２の上端面３２ａと略同じ位置である。
【００４３】
第１の吸気側横壁部４３は、吸気用カムシャフト３９のジャーナル３９ａを支持する吸気用カムシャフト支持部４４を有している。吸気用カムシャフト支持部４４は、第１の吸気側横壁部４３の縦壁部３３側に形成されている。吸気用カムシャフト支持部４４は、断面が半円状に切り欠かれる凹部状であって、内側に吸気用カムシャフト３９のジャーナル３９ａを収容する。図２に示すように、吸気用カムシャフト支持部４４の凹状部の受け面１０１の下端４４ｃ（凹状部の上面の最下端の位置）は、排気用カムシャフト支持部４２の凹状部の受け面１０２の下端４２ｂ（凹状部の上面の最下端の位置）と同じ高さである。つまり、吸気用カムシャフト３９と排気用カムシャフト４０とは、略同じ高さに配置されている。
【００４４】
上記のように、吸気用カムシャフト３９は、吸気用カムシャフト支持部４４内で支持されることによって、シリンダヘッド３０に支持される。なお、図１中、吸気用カムシャフト３９のジャーナル３９ａは、２点鎖線で示される部位である。第１の吸気側横壁部４３は、前後方向Ａに複数配置されており、それぞれが、吸気用カムシャフト３９のジャーナル３９ａを１つずつ支持する。また、外横壁部３６も同様に吸気用カムシャフト支持部４４が形成されており、吸気用カムシャフト３９の両端が支持されている。
【００４５】
図４は、図１中に示されるＦ４−Ｆ４線に沿って断面されるエンジン１０を示す斜視図である。図４は、排気側横壁部４１が断面されている。なお、図中、吸・排気用カムシャフト３９，４０とロッカアーム機構５０とは省略されている。また、シリンダブロック２０は、外形線のみ２点鎖線で示されている。
【００４６】
図４に示すように、縦壁部３３と吸気側の外縦壁部３５との間には、ロッカアーム機構５０が配置されている。ロッカアーム機構５０は、図中２点鎖線示されるように、第１の吸気側横壁部４３間に配置されている。
【００４７】
ロッカアーム機構５０は、エンジン１０の運転状態に応じて、吸気バルブ３４の駆動を変更できる可変式である。ロッカアーム機構５０は、本発明で言う可変動弁装置の一例である。なお、吸気バルブ３４は、１つの燃焼室につき２つ用いられている。各吸気バルブ３４は、例えば前後方向Ａに並んでいる。
【００４８】
図４中には、ロッカアーム機構５０において１気筒に対応する部分を、２点鎖線で囲む範囲Ｄに拡大して示している。この範囲Ｄに示すように、吸気用カムシャフト３９には、低速用カム４５と高速用カム４６とが形成されている。
【００４９】
低速用カム４５は、エンジン１０の低速運転に適した開閉タイミングで吸気バルブ３４を駆動するとともに、低速運転に適したバルブリフト量を提供できるカムフィルを有する。高速用カム４６は、エンジン１０の高速運転に適した開閉タイミングで吸気バルブ３４を駆動するとともに、高速運転に適したバルブリフト量を提供できるカムフィルを有する。
【００５０】
ロッカアーム機構５０は、ロッカシャフト５１と、低速用ロッカアーム５２と、高速用ロッカアーム５３と、切り替え機構７３とを備えている。図１に示すように、ロッカシャフト５１は、吸気側に配置されている。図１〜４に示すように、第１の吸気側横壁部４３には、ロッカシャフト５１を支持するロッカシャフト支持部５４が形成されている。
【００５１】
ロッカシャフト支持部５４は、第１の吸気側横壁部４３において吸気用カムシャフト支持部４４の隣であって外縦壁部３５側に配置されている。それゆえ、ロッカシャフト支持部５４は、吸気用カムシャフト支持部４４と幅方向Ｂに隣り合う位置に配置される。
【００５２】
ロッカシャフト支持部５４は、ロッカシャフト５１のジャーナル５１ａを収容する断面が切り欠かれる凹部状である。図中ジャーナル５１ａは、２点鎖線で示される部位である。ロッカシャフト支持部５４は、内側にロッカシャフト５１を収容する。ロッカシャフト５１は、ジャーナル５１ａがロッカシャフト支持部５４に支持されることによって、シリンダヘッド３０に支持される。ロッカシャフト支持部５４は、ロッカシャフト５１のジャーナル５１ａを１つずつ支持する。
【００５３】
また、ロッカシャフト支持部５４は、吸気用カムシャフト支持部４４よりも下方（シリンダブロック２０側）に配置されている。この点について具体的に説明する。図５は、図４に示されるシリンダヘッド３０に、吸気用カムシャフト３９とロッカアーム機構５０とが組み付けられた状態を示すエンジン１０の断面図である。また、図５は、図１中に示すＦ４−Ｆ４線に沿う断面図である。
【００５４】
図５に示すように、ロッカシャフト支持部５４は、ロッカシャフト５１を支持した状態において、ロッカシャフト５１が吸気用カムシャフト３９よりも下方に配置されるように（低速用カム４５と高速用カム４６とがロッカシャフト５に干渉しない位置）形成されている。具体的には、ロッカシャフト支持部５４の凹状部の受け面１００の下端５４ａは、吸気用カムシャフト支持部４４の凹状部の下端４４ｃよりも低い位置にある。
【００５５】
ロッカシャフト５１は、吸気用カムシャフト３９に対して下方にずれた位置に配置されることによって、低速用カム４５と高速用カム４６との干渉を防止しつつ、シリンダヘッド３０の内側（縦壁部３３側）に配置されている。
【００５６】
また、ロッカシャフト５１が吸気用カムシャフト３９の下方に配置されることによって、吸気用カムシャフト３９とロッカアーム機構５０との配置を、上下方向に重ねる配置構造とすることができる。
【００５７】
図３に示すように、第１の吸気側横壁部４３は、吸気用カムシャフト支持部４４と底壁部３１との間に隙間Ｓが形成されている。
【００５８】
図４では、２点鎖線で示す範囲Ｆにロッカアーム機構５０が分解された状態が図示されている。図４に示すように、低速用ロッカアーム５２は、低速用ボス部５５と、低速用アーム部５６とを有している。
【００５９】
低速用ボス部５５は、円筒状であって内側にロッカシャフト５１が挿通される。低速用ボス部５５は、ロッカシャフト５１に対して回動できるようになっている。低速用アーム部５６は、低速用ボス部５５に形成されており、低速用ボス部５５から吸気バルブ３４側に向かって延びている。
【００６０】
低速用アーム部５６の先端は、略Ｙ字状に分かれており、当該分かれた各々が吸気バルブ３４を１つずつ駆動する。なお、図５に示すように、吸気バルブ３４は、押し下げられることによって吸気ポートを開く構造であり、例えばコイルスプリング５７によって閉まる方向（押し上げられる方向）に常に付勢されている。
【００６１】
図４に示すように、低速用アーム部５６には、低速用ローラ部材５８が設けられている。低速用ローラ部材５８は、低速用カム４５の下方に配置されており、低速用カム４５が当接する。
【００６２】
低速用アーム部５６が吸気バルブ３４のコイルスプリング５７によって付勢されることによって（押し上げられることによって）、低速用ローラ部材５８は、低速用カム４５に常に当接するように付勢される。このため、低速用ローラ部材５８は、吸気用カムシャフト３９が回転すると、低速用カム４５のカムプロフィルに合わせて変位し、それゆえ、低速用ロッカアーム５２がロッカシャフト５１を支点にして回転駆動される。
【００６３】
高速用ロッカアーム５３は、ロッカシャフト５１に支持されるとともに、ロッカシャフト５１に沿って低速用ロッカアーム５２の隣に配置されている。高速用ロッカアーム５３は、高速用ボス部５９と高速用ローラ部材６０とを備えている。
【００６４】
高速用ボス部５９は、低速用ボス部５５の隣に配置されている。高速用ボス部５９は、円筒状であって内側にロッカシャフト５１が挿通される。高速用ボス部５９は、ロッカシャフト５１に対して回動自由である。
【００６５】
高速用ローラ部材６０は、高速用ボス部５９に設けられており、高速用カム４６の下方に配置されている。高速用カム４６は、高速用ローラ部材６０に当接している。高速用ロッカアーム５３の下端部には、当て部６１が形成されている。当て部６１は、下方に向かって突出する形状である。
【００６６】
図５に示すように、当接部６１には、シリンダブロック２０側から、押し上げ部材６２が当接している。押し上げ部材６２は、全長が伸縮自在に形成されるとともにばね部材を内蔵する構造である。押し上げ部材６２の上端面６３がばね部材に付勢されることによって、上端面６３が当接部６１を上方に付勢している。
【００６７】
このため、高速用ローラ部材６０は、高速用カム４６に常に当接するようになるので、吸気用カムシャフト３９が回転すると、高速用カム４６のカムプロフィルに合わせて変位する。この結果、高速用ロッカアーム５３は、ロッカシャフト５１を支点にして回転駆動される。
【００６８】
押し上げ部材６２は、第２の吸気側横壁部７０に設けられている。図１，４に示すように、第２の吸気側横壁部７０は、縦壁部３３と吸気側の外縦壁部３５とに渡って形成されており、幅方向Ｂに沿って延びている。第２の吸気側横壁部７０の周囲は、縦壁部３３と底壁部３１と外縦壁部３５とに一体に形成されている。第２の吸気側横壁部７０は、インジェクタ保持用ボス部３８と隣り合う位置に配置されている。それゆえ、第２の吸気側横壁部７０は、排気側横壁部４１と幅方向Ｂに直線状に並ぶとともに、前後方向Ａに等間隔に離間して配置されている。
【００６９】
第２の吸気側横壁部７０の上端面７１は、当て部６１の下方に位置しており、それゆえ、第１の吸気側横壁部４３の上端面４３ａよりも低い。第２の吸気側横壁部７０の上端面７１には、押し上げ部材６２を収容する収容穴７２が形成されている。収容穴７２は、本発明で言う支持部の一例である。第２の吸気側横壁部７０の上端面７１は、ロッカシャフト支持部５４の凹状部の下端５４ａよりも下方に位置しており、上下方向略中間に位置している。
【００７０】
なお、第１の吸気側横壁部４３がインジェクタ保持用ボス部３８間の中間の位置に配置されているので、第１，２の吸気側横壁部４３，７０は、互いに等間隔離間して配置されている。
【００７１】
高速用ロッカアーム５３と低速用ロッカアーム５２との間には、高速用ロッカアーム５３の変位の吸気バルブ３４への伝達と、低速用ロッカアーム５２の変位の吸気バルブ３４への伝達とを切り替える切り替え機構７３が設けられている。切り替え機構７３は、格納筒部７４と、ピストン７５と、コイルスプリング７６と、伝達アーム７７と、図示しない油圧機構とを備えている。
【００７２】
格納筒部７４は、低速用ボス部５５に設けられている。格納筒部７４は、筒状である。格納筒部７４において吸気用カムシャフト３９と反対側に位置する背面部の一部には、切り欠かれることによって窓部７８が形成されている。格納筒部７４は、窓部７８を通して外部と連通している。
【００７３】
ピストン７５は、格納筒部７４に収容されている。図中に示すようにピストン７５の上端部分には、一部が切り欠かれることによって切欠部７９が形成されている。窓部７８は、格納筒部７４において低速用ボス部５５側（下方）に位置している。
【００７４】
切欠部７９は、ピストン７５が低速用ボス部５５側に位置しているときには、窓部７８を通して外部へ露出する。また、切欠部７９は、ピストン７５が格納筒部７４の上端側（低速用ボス部５５と反対側）に移動したときには、背面部において窓部７８以外に部位（壁の部分）に覆われる。
【００７５】
コイルスプリング７６は、格納筒部７４内に収容されるとともに、ピストン７５と格納筒部７４の上端との間に配置されている。このため、ピストン７５は、コイルスプリング７６によって、下方（低速用ボス部５５側）に付勢されている。それゆえ、切欠部７９は、常時は、窓部７８を通して外部へ露出するようになる。
【００７６】
伝達アーム７７は、高速用ボス部５９に形成されている。伝達アーム７７の先端８０は、高速用ロッカアーム５３の回転にともなって、窓部７８を通して格納筒部７４内に進入可能に形成されている。
【００７７】
このため、切欠部７９が窓部７８と対向している場合では、伝達アーム７７の先端８０は、窓部７８を通してピストン７５に当接することがなく、それゆえ、格納筒部７４内に進入可能である。それゆえ、高速用ロッカアーム５３は、空振り状態となるので、回転変位は、低速用ロッカアーム５２に伝達されない。
【００７８】
窓部７８がピストン７５（切欠部７９以外の部位）によって覆われる位置にある場合では、伝達アーム７７は、ピストン７５に当接可能となる。この結果、高速用ロッカアーム５３の回転変位がピストン７５を介して低速用ロッカアーム５２に伝達される。高速用カム４６による吸気バルブ３４のリフト量は、低速用カム４５によるリフト量よりも大きい。このため、高速用ロッカアーム５３の回転変位は、低速用ロッカアーム５２を介して吸気バルブ３４に伝達されるようになる。
【００７９】
油圧機構は、コイルスプリング７６の弾性力にあらがってピストン７５を押し上げる機能を有している。油圧機構は、エンジン１０の運転状態に応じて、ピストン７５の位置を切り替える。
【００８０】
油圧機構は、エンジン１０が低速運転状態であれば、ピストン７５を付勢しない。このため、切欠部７９が窓部７８と対向するので、高速用ロッカアーム５３の回転変位は、低速用ロッカアーム５２に伝達されなくなり、それゆえ、吸気バルブ３４は、低速用ロッカアーム５２によって駆動される。
【００８１】
エンジン１０が高速運転状態であれば、油圧機構は、ピストン７５を付勢する。このことによって、切欠部７９が窓部７８から外れるとともに窓部７８がピストン７５の切欠部７９以外の部位によって覆われるので、伝達アーム７７とピストン７５とを介して、高速用ロッカアーム５３の回転変位が低速用ロッカアーム５２に伝達される。この結果、吸気バルブ３４は、高速用ロッカアーム５３によって駆動される。
【００８２】
つぎに、底壁部３１の高さについて、具体的に説明する。図２に示すように、底壁部３１において、吸気側Ｉに位置する吸気側部分３１ａの上端面３１ｂは、排気側Ｅに位置する排気側部分３１ｃの上端面３１ｄよりも低い。また、図２に示すように、排気側部分３１ｃの上端面３１ｄは、第２の吸気側横壁部７０の上端面７１よりも低い。
【００８３】
このように、排気側Ｅの上端面３１ｄのほうが吸気側Ｉの上端面３１ｂよりも高いことによって、底壁部３１の厚みは、排気側Ｅの方が厚くなる。このため、図２〜５に示すように、底壁部３１の厚み部分において排気側Ｅに形成される冷却水通路２００を、広く大きくすることができる。
【００８４】
排気側Ｅに形成される冷却水通路２００を大きくすることができることによって、排気側Ｅを効果的に冷却することができる。
【００８５】
つぎに、シリンダブロック２０とシリンダヘッド３０との固定構造について、具体的に説明する。図１に示すように、シリンダヘッド３０は、ヘッドボルト９０によって、シリンダブロック２０に固定されている。底壁部３１には、ヘッドボルト用ボス部９１が複数形成されている。
【００８６】
図６は、シリンダヘッド３０を示す平面図である。図６に示すように、排気側に配置されるヘッドボルト用ボス部９１は、前後方向Ａに隣り合う排気側横壁部４１間に１つずつ配置されている。このため、ヘッドボルト用ボス部９１の周囲には、ヘッドボルト９０をヘッドボルト用ボス部９１に挿入するなどの作業スペースが十分確保される。
【００８７】
ヘッドボルト用ボス部９１は、外横壁部３６に形成される排気用カムシャフト支持部４２の下方にも配置されている。外横壁部３６に形成される排気用カムシャフト支持部４２において、ヘッドボルト用ボス部９１と上下方向Ｃに重なる部分には、ヘッドボルト９０と作業に用いられる工具を挿通する挿通孔が形成されている。それゆえ、当該排気用カムシャフト支持部４２を通して上方からヘッドボルト９０および作業に用いられる工具を挿入することができる。
【００８８】
図２は、第１の吸気側横壁部４３を通る断面図である。図２，６に示すように、吸気側に配置されるヘッドボルト用ボス部９１は、第１の吸気側横壁部４３に形成される吸気用カムシャフト支持部４４の下方に配置されている。
【００８９】
図３，４，６に示すように、第１の吸気側横壁部４３に形成される吸気用カムシャフト支持部４４は、上方から見た場合に、第１の吸気側横壁部４３において吸気用カムシャフト支持部４４以外の部位よりも前後方向Ａに幅広形成されている。また、吸気用カムシャフト支持部４４の前後方向Ａに両端縁部４４ｂ間には、ヘッドボルト用ボス部９１に達する挿通孔４４ａが形成されている。吸気側のヘッドボルト用ボス部９１は、挿通孔４４ａを通して上方からアクセス可能に露出している。
【００９０】
挿通孔４４ａは、ヘッドボルト９０およびヘッドボルト９０を組み付ける際に用いられる工具が進入可能な大きさを有している。このため、吸気側のヘッドボルト用ボス部９１の周囲には、ヘッドボルト９０を組み付ける際のスペースが確保されるようになる。
【００９１】
また、一方の外横壁部３６に形成される吸気用カムシャフト支持部４４も、第１の吸気側横壁部４３に形成される吸気用カムシャフト支持部４４と同様に、挿通孔４４ａが形成される構造であり、ヘッドボルト９０と工具とを挿入可能になっている。挿通孔４４ａは、本発明で言う挿通部の一例である。
【００９２】
なお、排気側横壁部４１と第１，２の吸気側横壁部４３，７０とは、シリンダヘッド３０を鋳造などで形成する際に、一緒に形成されており、それゆえ、底壁部３１と縦壁部３３と外周壁部３２と一体になっている。
【００９３】
このように構成されるシリンダヘッド３０では、幅方向Ｂに延びる排気側横壁部４１と第１，２の吸気側横壁部４３，７０とを支持する縦壁部３３が前後方向Ａに延びて外周壁部３２に連結されるので、縦壁部３３がシリンダヘッド３０の補強用リブとして機能する。
【００９４】
図２に示すように、吸気側Ｉに形成されるヘッドボルト用ボス部９１の上端面９２と、排気側Ｅに形成されるヘッドボルト用ボス部９１の上端面９２とは、同じ高さである。ヘッドボルト用ボス部９１の上端面９２は、底壁部３１の排気側部分３１ｃの上端面３１ｄよりも高い位置に位置している。また、排気側部分３１ｃの上端面３１ｄは、第２の吸気側横壁部７０の上端面７１よりも下方近傍に位置している。
【００９５】
このように構成されるシリンダヘッド３０では、吸気側Ｉでは、シリンダヘッド３０の低い位置の剛性は、底壁部３１の吸気側部分３１ａによって確保され、中間の位置の剛性は、第２の吸気側横壁部７０によって確保され、高い位置の剛性は、第１の吸気側横壁部４３によって確保される。さらに、排気側Ｅでは、底壁部３１の排気側部分３１ｃが吸気側部分３１ａよりも高くかつ中間の近傍の位置に配置されることによって、当該排気側部分３１ｃによって低い位置および中間の位置の剛性が確保される。そして、排気側Ｅの高い位置の剛性は、排気側横壁部４１によって確保される。
【００９６】
上記のように、吸・排気側Ｉ、Ｅでは高さ方向に低・中・高の位置の剛性が十分確保されるので、シリンダヘッド３０の剛性は、吸・排気側Ｉ、Ｅのバランスを保ちながら向上する。
【００９７】
また、第１，２の吸気側横壁部４３，７０が等間隔離間するとともに、排気側横壁部４１が等間隔離間して配置されていることによって、シリンダヘッド３０の吸・排気側Ｉ、Ｅでのバランスがより一層保たれる。
【００９８】
また、第２の吸気側横壁部７０と排気側横壁部４１とが幅方向Ｂに直線状に並ぶことによって、両外縦壁部３５間に直線状に並ぶ補強壁が形成されるので、シリンダヘッド３０の剛性が、より一層向上する。
【００９９】
また、底壁部３１において排気側Ｅに形成される冷却水通路２００を広く大きくすることができるので、高温になる傾向にある排気側Ｅを有効に冷却することができる。
【０１００】
なお、本実施形態は、ディーゼルエンジンを用いたがこれに限定されない。本発明がガソリンエンジンに用いられても同様の効果が得られる。
【０１０１】
また、本実施形態では、排気側横壁部４１の上端面４１ａの高さは、外周壁部３２の上端面３２ａと同じ高さであり、それゆえ、第１の吸気側横壁部４３と同じ高さである。このように、排気側横壁部４１と第１の吸気側横壁部４３とが同じ高さである。
【０１０２】
しかしながら、排気側横壁部４１の高さは、第１の吸気側横壁部４３と同じであることに限定されない。排気側横壁部４１は、好ましくは第１の吸気側横壁部４３と同じ高さであるほうがよいが、第２の吸気側横壁部７０より高ければよく、第１の吸気側横壁部４３と略同じ高さであってもよい。ここでいう略同じ高さとは、第１の吸気側横壁部４３よりも若干低い場合や若干高い場合である。
【図面の簡単な説明】
【０１０３】
【図１】本発明の一実施形態に係るシリンダヘッドを備えるエンジンを概略的に示す斜視図。
【図２】図１中に示されるＦ２−Ｆ２線に沿って示すエンジンの断面図。
【図３】図１中に示されるＦ３−Ｆ３線に沿って切断されるエンジンを示す斜視図。
【図４】図１中に示されるＦ４−Ｆ４線に沿って切断されるエンジンを示す斜視図。
【図５】図４に示されたシリンダヘッドに吸気用カムシャフトとロッカアーム機構とが組み付けられた状態を示すエンジンの断面図。
【図６】図１に示されたシリンダヘッドを示す平面図。
【符号の説明】
【０１０４】
２０…シリンダブロック、３０…シリンダヘッド、３１…底壁部、３１ａ…吸気側部分、３１ｂ…排気側部分、３２…外周壁部、３３…縦壁部、３７…インジェクタ、３９…吸気用カムシャフト、３９ａ…ジャーナル、４０…排気用カムシャフト、４０ａ…ジャーナル、４１…排気側横壁部４１２…排気用カムシャフト支持部、４３…第１の吸気側横壁部、４４…吸気用カムシャフト支持部、５０…ロッカアーム機構（可変動弁装置）、７０…第２の吸気側横壁部、７２…収容穴（支持部）、Ｉ…吸気側、Ｅ…排気側。
【図１】
0004270314.tif 000002
【図２】
0004270314.tif 000003
【図３】
0004270314.tif 000004
【図４】
0004270314.tif 000005
【図５】
0004270314.tif 000006
【図６】
0004270314.tif 000007